(57)【要約】エンジンは、プライマリーシーブ（５５）とセカンダリーシーブ（５６）とを有するＶベルト式無段変速装置（１６）を備えている。Ｖベルト式無段変速装置（１６）は、変速装置ケース（４５）によって覆われている。始動用キック軸（１５０）は、車幅方向に関して、変速装置ケース（４５）と同じ側に設けられている。始動用キック軸（１５０）は、側面視において変速装置ケース（４５）の輪郭線の外側に配置されている。
2005007499.tif 000002
【特許請求の範囲】
【請求項１】
左右方向に延びるクランク軸を有するエンジン本体と、
前記クランク軸の回転に従って回転するプライマリーシーブと、左右方向に延びるセカンダリーシーブ軸を有するセカンダリーシーブと、前記プライマリーシーブと前記セカンダリーシーブとに巻き掛けられた伝動ベルトと、を有する変速機と、
前記プライマリーシーブと前記セカンダリーシーブと前記伝動ベルトとを収容する変速機ケースと、
前記エンジン本体の左右いずれか一方の側に設けられた始動用キック軸と、
を備えた鞍乗型車両用エンジンであって、
前記変速機ケースは、前記エンジン本体の左右両側のうち前記始動用キック軸が設けられている側に配置され、
前記始動用キック軸は、側面視において前記変速機ケースの輪郭線の外側に配置されている鞍乗型車両用エンジン。
【請求項２】
前記セカンダリーシーブは、前記プライマリーシーブよりも上方に配置され、
前記始動用キック軸は、側面視において前記セカンダリーシーブの下方に配置されている請求項１記載の鞍乗型車両用エンジン。
【請求項３】
前記セカンダリーシーブ軸と別軸に構成され、前記セカンダリーシーブ軸に直接又は間接的に連結されたドライブ軸を更に備えた請求項２記載の鞍乗型車両用エンジン。
【請求項４】
左右方向に延びるアイドル軸を有し、前記セカンダリーシーブ軸と前記ドライブ軸とに連結された減速機構を更に備え、
前記セカンダリーシーブ軸は、前記ドライブ軸よりも上方に配置され、
前記アイドル軸は、側面視において前記ドライブ軸の軸心と前記セカンダリーシーブ軸の軸心とを結んだ仮想線よりも前記プライマリーシーブ側に配置され、
前記ドライブ軸は、側面視において前記変速機ケースの輪郭線の内側に配置されている請求項３記載の鞍乗型車両用エンジン。
【請求項５】
請求項１〜４のいずれか一つに記載の鞍乗型車両用エンジンを備えた鞍乗型車両。
【請求項６】
前記ドライブ軸が前記クランク軸よりも後方に位置するような姿勢で前記鞍乗型車両用エンジンを支持する車両本体と、
前記車両本体に揺動自在に支持され、後輪を支持するリヤアームと、
前記ドライブ軸から前記後輪に駆動力を伝達する伝動部材と、を備え、
前記車両本体における前記リヤアームの支持点は、側面視において前記鞍乗型車両用エンジンの後方に位置している請求項５記載の鞍乗型車両。
【請求項７】
前記車両本体における前記リヤアームの支持点は、前記セカンダリーシーブ軸の軸心よりも下方に位置している請求項６記載の鞍乗型車両。
【請求項８】
前記車両本体における前記リヤアームの支持点は、前記ドライブ軸の後方近傍に位置している請求項６記載の鞍乗型車両。
【発明の詳細な説明】
【技術分野】
【０００１】  本発明は、鞍乗型車両用エンジン及びそれを備えた鞍乗型車両に関する。
【背景技術】
【０００２】  鞍乗型車両は、例えば自動二輪車等として広く用いられている。通常、自動二輪車等は、後輪を支持するリヤアームと、このリヤアームを車両本体に支持するためのリヤアームブラケットとを備えている。リヤアームブラケットにはリヤアームを支持するピポット軸が設けられており、リヤアームはピポット軸を中心として上下方向に揺動自在に支持されている。【０００３】  自動二輪車等にはエンジンの変速機構が設けられる。そのような変速機構として、Ｖベルト式自動変速機が知られている。Ｖベルト式自動変速機は、エンジンのクランク軸の回転に従って回転するプライマリーシーブ（駆動プーリ）と、セカンダリーシーブ（従動プーリ）と、プライマリーシーブとセカンダリーシーブとに巻き掛けられたＶベルトとから構成される。通常、プライマリーシーブとセカンダリーシーブとＶベルトとは、変速機ケースによって区画されたベルト室に収容されている。【０００４】  セカンダリーシーブに嵌め込まれたセカンダリーシーブ軸と回転駆動力を出力するドライブ軸との間には、クラッチ及び減速機構が設けられることが多い。例えば、セカンダリーシーブ軸とドライブ軸とが、クランクケース内に配設された遠心クラッチと減速機構のアイドル軸とを介して連結されたエンジンが知られている。この種のエンジンを搭載した自動二輪車等では、ドライブ軸上に設けられたスプロケットと後輪の従動スプロケットとにチェーン等が巻き掛けられ、ドライブ軸の回転駆動力は当該チェーン等を介して後輪に伝達される。【０００５】  また、自動二輪車等のエンジンには、始動用キック軸を備えたものがよく用いられている。【０００６】  始動用キック軸とＶベルト式自動変速機との位置関係に関して、特開平５−２１３２６２号公報（以下、特許文献１という）には、以下のようなレイアウトが開示されている。すなわち、特許文献１に開示されたエンジンでは、始動用キック軸は、Ｖベルトと干渉しないように、車両本体においてＶベルトが設けられている側と反対の側に配置されている。具体的には、Ｖベルト式自動変速機は車両本体の右側に設けられているのに対して、始動用キック軸は車両本体の左側に配置されている。【０００７】  特開平６−４８３６３号公報（以下、特許文献２という）には、始動用キック軸とＶベルト式自動変速機とが車両本体の同一の側に設置されたエンジンが開示されている。このエンジンでは、プライマリーシーブとセカンダリーシーブとの間にある程度の間隔が設けられており、始動用キック軸は、プライマリーシーブとセカンダリーシーブとの間に設置されている。また、始動用キック軸は、Ｖベルトと干渉しないように、側面視においてＶベルトの輪郭線の内側に配置されている。【０００８】
【特許文献１】特開平５−２１３２６２号公報
【特許文献２】特開平６−４８３６３号公報
【発明の開示】
【発明が解決しようとする課題】
【０００９】  しかしながら、特許文献１に開示されたエンジンにおいては、始動用キック軸が変速機ケースと反対の側に設けられているため、自動二輪車等の車幅が大きくなってしまうという問題があった。【００１０】  一方、特許文献２に開示されたエンジンでは、ドライブ軸や減速機構等のレイアウトに関して制約が多いという問題があった。なぜなら、ドライブ軸や減速機構等は始動用キック軸と干渉しないように配置されなければならないが、上記エンジンでは、始動用キック軸は側面視におけるＶベルトの輪郭線の内側に配置されているため、ドライブ軸や減速機構等を当該輪郭線の内側又はその近傍に自由に配置できないからである。【００１１】  本発明は、かかる点に鑑みてなされたものであり、その目的とするところは、鞍乗型車両用エンジンにおいて、始動用キック軸及び変速機のレイアウトに工夫を施すことにより、エンジン又は鞍乗型車両全体のレイアウトの自由度を高めることにある。また、本発明の他の目的は、鞍乗型車両におけるドライブ軸周りのレイアウトの自由度を増大させることである。また、本発明の他の目的は、その鞍乗型車両用エンジンを搭載した好適な鞍乗型車両を提供することである。
【課題を解決するための手段】
【００１２】  本発明に係る鞍乗型車両用エンジンは、左右方向に延びるクランク軸を有するエンジン本体と、前記クランク軸の回転に従って回転するプライマリーシーブと、左右方向に延びるセカンダリーシーブ軸を有するセカンダリーシーブと、前記プライマリーシーブと前記セカンダリーシーブとに巻き掛けられた伝動ベルトと、を有する変速機と、前記プライマリーシーブと前記セカンダリーシーブと前記伝動ベルトとを収容する変速機ケースと、前記エンジン本体の左右いずれか一方の側に設けられた始動用キック軸と、を備えた鞍乗型車両用エンジンであって、前記変速機ケースは、前記エンジン本体の左右両側のうち前記始動用キック軸が設けられている側に配置され、前記始動用キック軸は、側面視において前記変速機ケースの輪郭線の外側に配置されているものである。【００１３】  上記鞍乗型車両用エンジンにおいては、始動用キック軸と変速機ケースとがエンジン本体に対して同一の側に設けられているので、鞍乗型車両の車幅方向の増大を抑制することができる。加えて、始動用キック軸が側面視において変速機ケースの輪郭線の外側に配置されているので、ドライブ軸等のレイアウトに関して、始動用キック軸の影響は受けにくい。そのため、限られたスペース内において始動用キック軸及び変速機を効率的に配置しつつ、ドライブ軸等のレイアウトの自由度を増大させることができる。【００１４】  前記セカンダリーシーブは、前記プライマリーシーブよりも上方に配置され、前記始動用キック軸は、側面視において前記セカンダリーシーブの下方に配置されていることが好ましい。【００１５】  上記鞍乗型車両用エンジンでは、セカンダリーシーブがプライマリーシーブよりも上方に配置されていることにより、セカンダリーシーブの下方に比較的大きなスペースが確保される。そして、始動用キック軸が当該スペースに配置されることにより、エンジン全体におけるスペースの有効利用が図られ、効率的なレイアウトが実現される。【００１６】  前記鞍乗型車両用エンジンは、前記セカンダリーシーブ軸と別軸に構成され、前記セカンダリーシーブ軸に直接又は間接的に連結されたドライブ軸を更に備えていることが好ましい。【００１７】  なお、ここで、ドライブ軸はセカンダリーシーブ軸と間接的に連結されていてもよいので、セカンダリーシーブ軸とドライブ軸との間に減速機構等が介在していてもよいことは勿論である。【００１８】  上記鞍乗型車両用エンジンでは、ドライブ軸がセカンダリーシーブ軸と別軸であるため、セカンダリーシーブ軸の制約を受けることなく、ドライブ軸を比較的自由に配置することができる。そのため、ドライブ軸周りのレイアウトの自由度が増大する。その結果、例えば、ドライブ軸をピポット軸に近づけることができる。【００１９】  前記鞍乗型車両用エンジンは、左右方向に延びるアイドル軸を有し、前記セカンダリーシーブ軸と前記ドライブ軸とに連結された減速機構を更に備え、前記セカンダリーシーブ軸は、前記ドライブ軸よりも上方に配置され、前記アイドル軸は、側面視において前記ドライブ軸の軸心と前記セカンダリーシーブ軸の軸心とを結んだ仮想線よりも前記プライマリーシーブ側に配置され、前記ドライブ軸は、側面視に��いて前記変速機ケースの輪郭線の内側に配置されていることが好ましい。【００２０】  上記鞍乗型車両用エンジンでは、側面視において、ドライブ軸の軸心とセカンダリーシーブ軸の軸心とを結んだ仮想線よりもプライマリーシーブ側にアイドル軸を配置することとしたので、エンジンにおけるプライマリーシーブ側と反対の側を小型化することができる。例えば、プライマリーシーブをエンジンの前側に配置した場合、エンジンの後側部分を小型化することができる。そのため、鞍乗型車両において、エンジンの後方に大きなスペースを確保することが可能となる。さらに、側面視においてドライブ軸を変速機ケースの輪郭線の内側に配置することとしたので、エンジン内においてドライブ軸と変速機とを高密度に配置することができる。すなわち、ドライブ軸と変速機とを、限られた容積内に効率的に配置することができる。【００２１】  本発明に係る鞍乗型車両は、前記鞍乗型車両用エンジンを備えたものである。【００２２】  前記鞍乗型車両は、前記ドライブ軸が前記クランク軸よりも後方に位置するような姿勢で前記鞍乗型車両用エンジンを支持する車両本体と、前記車両本体に揺動自在に支持され、後輪を支持するリヤアームと、前記ドライブ軸から前記後輪に駆動力を伝達する伝動部材と、を備え、前記車両本体における前記リヤアームの支持点は、側面視において前記鞍乗型車両用エンジンの後方に位置していることが好ましい。【００２３】  前記車両本体における前記リヤアームの支持点は、前記セカンダリーシーブ軸の軸心よりも下方に位置していることが好ましい。【００２４】  また、前記車両本体における前記リヤアームの支持点は、前記ドライブ軸の後方近傍に位置していることが好ましい。【００２５】  このことにより、ドライブ軸とリヤアームの支持点との間の距離が短いため、リヤアーム長を長くすることによって車両の操縦安定性を高めることができる。また、リヤアームが支持点を中心として揺動した際に、伝動部材の駆動力の伝達効率が低下することを抑制することができる。
【発明の効果】
【００２６】  以上のように、本発明によれば、エンジン内において始動用キック軸及び変速機を効果的に配置したことにより、ドライブ軸や減速機構等のレイアウトの自由度を増大させることができる。したがって、例えばドライブ軸をリヤアームの支持点に近い位置に配置することにより、車両の操縦安定性を向上させることができる。また、伝動部材の駆動力伝達不良等を防止することができる。
【図面の簡単な説明】
【００２７】
【図１】本発明の実施の形態に係る自動二輪車の左側面図である。
【図２】図４のＩＩ−ＩＩ線に沿ったエンジンユニットの断面図である。
【図３】エンジンユニットの部分断面図である。
【図４】エンジンの各回転軸の配置を示す右側面図である。
【図５】前方斜め左上から見たエンジンの主要部の斜視図である。
【図６】背面側から見たエンジンの断面図である。
【図７】始動用キック軸とクランク軸との間の連結機構を示す断面図である。
【符号の説明】
【００２８】  １      自動二輪車（鞍乗型車両）
２      エンジンユニット
７      後輪
８      リヤアーム
１５    エンジン本体
１６    Ｖベルト式無段変速装置（変速機）
１７    遠心クラッチ
１８    減速機構
２８    クランク軸
４５    変速装置ケース（変速機ケース）
４７    セカンダリーシーブ軸
４８    ドライブ軸
５０    チェーン（伝動部材）
５５    プライマリーシーブ
５６    セカンダリーシーブ
５７    Ｖベルト（伝動ベルト）
１００  ピポット軸（支持点）
１５０  始動用キック軸
Ｃ      ドライブ軸の軸心とセカンダリーシーブ軸の軸心とを結んだ仮想線
【発明を実施するための最良の形態】
【００２９】  以下、本発明の実施の形態を図面に基づいて説明する。【００３０】  図１は、本実施形態に係るエンジンを備えた自動二輪車１を示している。詳細は後述するが、本実施形態に係るエンジンは、無段変速装置内蔵エンジンである。車体フレーム１ａの前端には、ヘッドパイプ３が固定されている。ヘッドパイプ３には、フロントフォーク５が左右方向に回動自在に支持されている。フロントフォーク５の下端部には、前輪４が回転自在に支持されている。【００３１】  車体の前後方向中央部には、リヤアームブラケット６が配置されている。リヤアームブラケット６には、ピポット軸（支持点）１００を介してリヤアーム８が支持されている。リヤアーム８は、ピポット軸１００に回動自在に支持されている。したがって、リヤアーム８は、ピポット軸１００を中心として上下方向に揺動自在に設けられている。リヤアーム８の後端部には、後輪７が回転自在に支持されている。車体フレーム１ａの上部には、シート９が配置されている。シート９は、運転者用シート部９ａと後部乗員用シート部９ｂとから構成されている。詳細は後述するが、エンジンユニット２は、回転駆動力を出力するドライブ軸４８（図４参照）がクランク軸２８よりも後方に位置するような姿勢で、車体フレーム１ａに取り付けられている。また、本エンジンユニット２では、リヤアーム８のピポット軸１００は、エンジンユニット２の後方に位置しており、ドライブ軸４８の後方近傍に配置されている。【００３２】  図１に示すように、車体フレーム１ａは、ヘッドパイプ３から後方斜め下向きに延びるダウンチューブ１ｂと、ダウンチューブ１ｂの後端に続いて斜め上方に延びるアッパーチューブ１ｃと、ダウンチューブ１ｂとアッパーチューブ１ｃとに接合され、これらダウンチューブ１ｂとアッパーチューブ１ｃとの間に前後方向に架け渡されたシートレール１ｄとから構成されている。なお、ダウンチューブ１ｂとアッパーチューブ１ｃとシートレール１ｄとは、車体の左右両側にそれぞれ設けられている。【００３３】  この車体フレーム１ａは、樹脂製のカバー１０によって覆われている。カバー１０は、フロントカバー１０ａ、レッグシールド１０ｂ、及びサイドカバー１０ｃ等からなっている。フロントフォーク５の上端には、ハンドルカバー１１ａに覆われた操向ハンドル１１が固定されている。リヤアーム８とリヤアームブラケット６との間には、リヤクッション（ショックアブソーバ）１２が配設されている。【００３４】  車体フレーム１ａのダウンチューブ１ｂには、エンジンユニット２が吊り下げられた状態で支持されている。エンジンユニット２は、エンジン本体１５（図２参照）として空冷式４サイクル単気筒エンジンを備えており、エンジン本体１５の気筒軸線Ａは、水平軸から約４５度傾斜している。【００３５】  次に、図２〜図４を参照しながら、エンジンユニット２の構成を詳細に説明する。なお、図２は図４のＩＩ−ＩＩ線断面図である。図３は図２の詳細拡大図であり、クランクケース付近を示している。図４はエンジンユニット２における各軸のレイアウトを示す図であり、車体を右側面方向から（つまり、クランク軸方向から）見たレイアウトを示している。【００３６】  図２に��すように、エンジンユニット２は、エンジン本体１５と、Ｖベルト式無段変速装置１６と、湿式多板遠心クラッチ１７と、減速機構１８とを備えている。【００３７】  エンジン本体１５は、シリンダブロック１９と、シリンダヘッド２０と、クランクケース２２とを備えている。シリンダヘッド２０は、シリンダブロック１９の上合面に接続されている。シリンダヘッド２０の上側には、ヘッドカバー２１が設けられている。クランクケース２２は、シリンダブロック１９の下合面に接続されている。クランクケース２２は、クランク軸２８及びセカンダリーシーブ軸（変速軸）４７を支持している。【００３８】  シリンダヘッド２０の後面には、燃焼凹部２０ａに連通する図示しない吸気ポートが開口している。この吸気ポートには、吸気管２３ａ（図１参照）を介してキャブレタ２３が接続されている。一方、シリンダヘッド２０の前面には、燃焼凹部２０ａに連通する図示しない排気ポートが開口している。この排気ポートには、排気管２４（図１参照）が接続されている。図１に示すように、排気管２４は後方斜め下向きに延びた後、エンジン本体１５の右側方を通って後方斜め上向きに延び、マフラ２５に接続されている。なお、マフラ２５は、後輪７の右側方に配設されている。図２に示すように、燃焼凹部２０ａの内部には、点火プラグ３０が挿入されている。【００３９】  シリンダブロック１９の左側部には、クランクケース２２の内部とシリンダヘッド２０の内部とをつなぐチェーン室１９ａが形成されている。このチェーン室１９ａには、タイミングチェーン３４が配設されている。タイミングチェーン３４は、クランク軸２８とカム軸３１とに巻き掛けられている。カム軸３１は、クランク軸２８の回転に従って回転し、図示しない吸気バルブ及び排気バルブを開閉させる。【００４０】  シリンダブロック１９のシリンダボア内には、ピストン２６が摺動可能に挿入されている。このピストン２６には、コンロッド２７の小端部２７ｂが連結されている。クランク軸２８の左側クランクアーム２８ａと右側クランクアーム２８ｂとの間には、クランクピン２９が設けられている。コンロッド２７の大端部２７ａは、クランクピン２９に連結されている。なお、符号３２はシリンダスリーブである。【００４１】  クランクケース２２は、分割された２つのケース、すなわち左側の第１ケース４０と右側の第２ケース４１とを備えている。第１ケース４０と第２ケース４１との合面、つまりクランクケース２２の割り面Ｄは、シリンダブロック１９の軸線Ｌに対して平行に延びている。しかしながら、割り面Ｄは軸線Ｌと一致しておらず、軸線Ｌの左側にオフセットされている。【００４２】  第２ケース４１の右側には、ケースカバー７１が取り付けられている。第２ケース４１の右側には開口が形成され、ケースカバー７１は当該開口を覆っている。ケースカバー７１は、ボルト７２により、第２ケース４１に対して着脱可能に固定されている。したがって、ケースカバー７１は取り付け及び取り外しが容易である。ケースカバー７１を第２ケース４１から取り外すことにより、遠心クラッチ１７とセカンダリーシーブ軸４７とを容易に取り外すことができる。【００４３】  第１ケース４０の前方左側には、発電機４２を収容する発電機ケース４４が着脱自在に取り付けられている。第２ケース４１の右側には、Ｖベルト式無段変速装置１６を収容する変速装置ケース４５が取り付けられている。Ｖベルト式無段変速装置１６は、変速装置ケース４５によって区画された変速機室に収容されている。【００４４】  変速装置ケース４５は、クランクケース２２から独立して形成されており、ケース本体４５ａと蓋体４５ｂとから構成されている。ケース本体４５ａは、第２ケース４１の右側に配置されており、右側に開口している。蓋体４５ｂは、ケース本体４５ａの右側に配置され、ケース本体４５ａの右側の開口を密閉している。ケース本体４５ａと蓋体４５ｂと第２ケース４１とは、ボルト７０によって一体的に固定されている。ケース本体４５ａの底壁４５ｃと第２ケース４１との間には、隙間ａが設けられている。このように、ケース本体４５ａと第２ケース４１とが隔てられていることにより、エンジン本体１５からの熱が変速装置ケース４５に伝わることが抑制されている。なお、変速装置ケース４５の右側は、化粧カバー６０によって覆われている。【００４５】  クランクケース２２の前側（図２における上側）には、クランク軸２８が左右方向に延びるように配置されている。クランク軸２８の中央部分におけるシリンダブロック１９の軸線Ｌよりも左側は、軸受３５を介して第１ケース４０に回転自在に支持されている。一方、クランク軸２８の中央部分における上記軸線Ｌよりも右側は、軸受３６を介して第２ケース４１に回転自在に支持されている。【００４６】  クランク軸２８の右側端部は、第２ケース４１を超えて、変速装置ケース４５内に延びている。クランク軸２８の右側端部には、ベルト式無段変速装置１６のプライマリーシーブ（駆動プーリ）５５が同軸状に嵌め込まれている。したがって、プライマリーシーブ５５は、クランク軸２８の回転に従って回転する。なお、このクランク軸２８の右側端部は、プライマリーシーブ軸５５ｄを形成している。ただし、プライマリーシーブ５５とクランク軸２８との連結の態様は、上記態様に限定される訳ではない。プライマリーシーブ軸５５ｄとクランク軸２８とは、別体に形成されていてもよい。プライマリーシーブ軸５５ｄは、必ずしもクランク軸２８と同軸状に配置されていなくてもよく、例えば、クランク軸２８に対して平行に配置されていてもよい。また、本明細書で言う「連結」とは、広い意味での連結を意味し、特に明記されていない限り、直接的に接続されている場合だけでなく間接的に接続されている場合も含む意味である。【００４７】  一方、クランク軸２８の左側端部は、第１ケース４０を超えて、発電機ケース４４内に延びている。そして、クランク軸２８の左側端部には、発電機４２が取り付けられている。第２ケース４１の右側端面のクランク軸２８が延出する部分と、変速装置ケース４５の底壁４５ｃとの間には、シール部材３７が設けられている。これにより、第２ケース４１は変速装置ケース４５に対して密閉されている。したがって、第２ケース４１内に収容されるクラッチとして、湿式のものを使用することができる。前述したように、本実施形態では、上記クラッチとして湿式多板式の遠心クラッチ１���が使用されている。【００４８】  発電機４２は、ステータ４２ｂと、ステータ４２ｂに対向するロータ４２ａとを備えている。ロータ４２ａは、クランク軸２８と共に回転するスリーブ４３に固定されている。なお、スリーブ４３には、クランク軸２８のテーパ部分が嵌め込まれている。ステータ４２ｂは、発電機ケース４４に固定されている。【００４９】  クランクケース２２の後側（図２における下側）には、クランク軸２８と平行なセカンダリーシーブ軸４７が配置されている。セカンダリーシーブ軸４７の中央部の右側部分は、軸受３８を介してケースカバー７１に支持されている。セカンダリーシーブ軸４７の中央部の左側部分は、軸受３９を介して第２ケース４１の左端部に支持されている。セカンダリーシーブ軸４７の右側端部は、第２ケース４１を超えて変速装置ケース４５内に延びている。このセカンダリーシーブ軸４７の右側端部には、Ｖベルト式無段変速装置１６のセカンダリーシーブ（従動プーリ）５６が連結されている。ここでは、セカンダリーシーブ５６は、セカンダリーシーブ軸４７に同軸状に連結されている。【００５０】  セカンダリーシーブ軸４７の左側部分には、遠心クラッチ１７が取り付けられている。この遠心クラッチ１７は、Ｖベルト式無段変速装置１６のセカンダリーシーブ５６よりも左側、すなわちシリンダブロック１９側に配置されている。このような配置は、第２ケース４１の内部スペースが大きいことによって達成されている。すなわち、本エンジンユニット２では、クランクケース２２の分割面Ｄがシリンダブロック１９の軸線Ｌよりも左側に位置しており、第２ケース４１の内部には広いスペースが確保されている。そのため、遠心クラッチ１７をセカンダリーシーブ５６よりも左側に配置することが可能となっている。【００５１】  遠心クラッチ１７は、湿式多板式の遠心クラッチであり、インナクラッチ８４と碗状のアウタクラッチ８３とを備えている。アウタクラッチ８３は、セカンダリーシーブ軸４７にスプライン嵌合されており、セカンダリーシーブ軸４７と共に回転する一方、セカンダリーシーブ軸４７の軸方向への移動が自在である。インナクラッチ８４は、アウタクラッチ８３の内側に同軸状に配置されている。インナクラッチ８４は、一次側の減速小ギヤ７４にスプライン嵌合され、減速小ギヤ７４はインナクラッチ８４と共に回転する。なお、減速小ギヤ７４は、セカンダリーシーブ軸４７に回転自在に支持されている。【００５２】  図３に示すように、アウタクラッチ８３の内部には、複数枚のアウタクラッチ板８５が配置されている。これらアウタクラッチ板８５の左右両端には、押圧プレート８６がそれぞれ配置されている。アウタクラッチ板８５及び押圧プレート８６は、アウタクラッチ８３と共に回転するよう、アウタクラッチ８３に係止されている。アウタクラッチ板８５と押圧プレート８６との間には、インナクラッチ板８７が配設されている。インナクラッチ板８７は、インナクラッチ８４と共に回転するよう、インナクラッチ８４の外周部に係止されている。【００５３】  アウタクラッチ８３の内側には、左側に突出するカム面８３ａが形成されている。そして、カム面８３ａと右側の押圧プレート８６との間には、ウ���イト８８が配設されている。アウタクラッチ８３の回転速度が所定速度以上になると、ウエイト８８は遠心力を受けて半径方向外側に移動する。アウタクラッチ８３の内側にはカム面８３ａが形成されているので、ウエイト８８が半径方向外側に移動すると、右側の押圧プレート８６はウエイト８８によって左方向に押され、左側に移動する。その結果、アウタクラッチ板８５とインナクラッチ板８７とが接続される。すなわち、クラッチが接続された状態となる。なお、図２及び図３において、遠心クラッチ１７における前側（図２及び図３における上側）の部分は遮断状態を表し、後側（図２及び図３における下側）の部分は接続状態を表している。【００５４】  Ｖベルト式無段変速装置１６は、プライマリーシーブ５５と、セカンダリーシーブ５６と、これらプライマリーシーブ５５とセカンダリーシーブ５６とに巻き掛けられたＶベルト５７とを備えている。前述したように、プライマリーシーブ５５はクランク軸２８の右側端部に取り付けられている。したがって、このプライマリーシーブ５５には、クランク軸２８の駆動力が伝達される。セカンダリーシーブ５６は、セカンダリーシーブ軸４７の右側端部に連結されている。【００５５】  プライマリーシーブ５５は、固定プーリ半体５５ａと、固定プーリ半体５５ａに対向する可動プーリ半体５５ｂとを備えている。固定プーリ半体５５ａは、クランク軸２８の右端に固定されており、クランク軸２８と共に回転する。可動プーリ半体５５ｂは、固定プーリ半体５５ａの左側に配置されている。クランク軸２８には、クランク軸２８に対してスライド可能なスライドカラー５９が取り付けられている。可動プーリ半体５５ｂは、このスライドカラー５９を介してクランク軸２８に取り付けられている。したがって、可動プーリ半体５５ｂは、クランク軸２８と共に回転し、かつ、クランク軸２８の軸方向に移動自在である。可動プーリ半体５５ｂの左側には、カムプレート５８が配設されている。カムプレート５８と可動プーリ半体５５ｂとの間には、円筒形のウエイト６１が配設されている。【００５６】  セカンダリーシーブ５６は、固定プーリ半体５６ａと、固定プーリ半体５６ａに対向する可動プーリ半体５６ｂとを備えている。可動プーリ半体５６ｂは、セカンダリーシーブ軸４７の右端に取り付けられている。可動プーリ半体５６ｂは、セカンダリーシーブ軸４７と共に回転し、かつ、セカンダリーシーブ軸４７の軸方向に移動自在である。セカンダリーシーブ軸４７の右端にはコイルスプリング６７が設けられており、可動プーリ半体５６ｂはコイルスプリング６７から左向きの付勢力を受けている。固定プーリ半体５６ａは、可動プーリ半体５６ｂの左側に設置されている。固定プーリ半体５６ａの軸心部には、円筒状のスライドカラー６２が固定されている。スライドカラー６２は、セカンダリーシーブ軸４７にスプライン嵌合されている。【００５７】  このベルト式無段変速装置１６では、ウエイト６１が駆動側の可動プーリ半体５５ｂを右側に押し出す力と、コイルスプリング６７が従動側の可動プーリ半体５６ｂを左側に押し戻す力との大小関係によって、減速比が決定される。すなわち、クランク軸２８の回転数が上昇すると、ウエイ��６１が遠心力を受けて径方向外側（図３における上側）に移動し、駆動側の可動プーリ半体５５ｂを右側に移動させる。すると、これに伴って従動側の可動プーリ半体５６ｂも、コイルスプリング６７の付勢力に対抗して右側に移動する。この結果、駆動プーリ５５におけるベルト５７の巻き掛け径は大きくなり、従動プーリ５６における巻き掛け径は小さくなる。したがって、減速比は小さくなる。一方、クランク軸２８の回転数が低下すると、ウエイト６１の遠心力が小さくなるので、ウエイト６１は径方向内側に移動する。そのため、駆動側の可動プーリ半体５５ｂは、左側に移動しやすくなる。すると、従動側の可動プーリ半体５６ｂがコイルスプリング６７の付勢力を受けて左側に移動し、それに応じて駆動側の可動プーリ半体５５ｂも左側に移動する。その結果、駆動プーリ５５におけるＶベルト５７の巻き掛け径は小さくなり、従動プーリ５６における巻き掛け径は大きくなる。したがって、減速比は大きくなる。【００５８】  セカンダリーシーブ軸４７の先端にはロックナット６６がねじ込まれ、セカンダリーシーブ５６は、このロックナット６６を介してセカンダリーシーブ軸４７に固定されている。ロックナット６６は、スライドカラー６２の右側端部６２ａに没入している。スライドカラー６２の内径は、軸方向に沿って段階的に大きくなっている。一方、セカンダリーシーブ軸４７の右側先端４７ａは、段階的に小さくなっている。つまり、セカンダリーシーブ軸４７は、先端側に行くほど段付状に小径化されている。【００５９】  本エンジンユニット２では、このような構成を採用したことにより、ロックナット６６をスライドカラー６２の右側端部６２ａの内側に支障なく配置することができる。したがって、ロックナット６６をコイルスプリング６７のばね受け部材６５よりも左側に位置づけることが可能となっている。これにより、コイルスプリング６７自体を短くすることなく、外側（右側）の出っ張りを小さく抑制することができる。すなわち、簡単な構造により、エンジンユニット２の小型化（幅方向の小型化）を達成している。【００６０】  図２に示すように、減速機構１８は、セカンダリーシーブ軸４７と平行なアイドル軸（減速軸）５２を備えている。アイドル軸５２には、一次側の減速小ギヤ７４と噛み合う減速大ギヤ７５が結合されている。なお、減速小ギヤ７４は、セカンダリーシーブ軸４７に回転可能に取り付けられている。アイドル軸５２にはさらに、二次側の減速小ギヤ７６が一体形成されている。ドライブ軸４８には、減速小ギヤ７６と噛み合う減速大ギヤ７７が一体形成されている。【００６１】  アイドル軸５２の右側端部は、軸受９１を介して第２ケース４１の左側部分に支持されている。アイドル軸５２の左側端部は、第１ケース４０の左側部分に回転自在に支持されている。【００６２】  ドライブ軸４８は、アイドル軸５２と平行に配設されている。ドライブ軸４８の右側端部は、軸受９２を介して第２ケース４１の左側部分に支持されている。ドライブ軸４８の左側部分は、軸受９３を介して第１ケース４０の左側部分に支持されている。また、ドライブ軸４８の左側端部には、スプロケット４９が連結されている。スプロケット４９は、チェーン５���を介して後輪７の従動スプロケット５１（図１参照）に連結されている。【００６３】  次に、図４を参照しながら、エンジンユニット２における各回転軸のレイアウトについて説明する。図４は、車体を右側面から見たときの各回転軸の配置を示す側面図である。セカンダリーシーブ軸４７とドライブ軸４８とは、別軸として構成されている。セカンダリーシーブ軸４７は、ドライブ軸４８よりも上方に配置されており、ドライブ軸４８よりもやや前側に配置されている。アイドル軸５２は、ドライブ軸４８の軸心とセカンダリーシーブ軸４７の軸心とを結んだ仮想線Ｃよりも前方斜め下側、つまりプライマリーシーブ５５側に配置されている。セカンダリーシーブ軸４７はプライマリーシーブ軸５５ｄよりも上方に配置されており、セカンダリーシーブ５６は全体として、プライマリーシーブ５５よりも上側に設けられている。【００６４】  また、ドライブ軸４８は、車体の側面から見て、変速装置ケース４５の輪郭線（外形線）の内側に位置している。言い換えると、ドライブ軸４８は、変速装置ケース４５のプロフィール内に収まるように配置されている。ただし、ドライブ軸４８の大部分（例えば、ドライブ軸４８の半分以上の部分）が上記輪郭線の内側に位置していればよく、必ずしもドライブ軸４８の全体が上記輪郭線の内側に位置していなくてもよい。【００６５】  図５は、エンジンユニット２の主要部（以下、エンジン主要部という）３００や変速装置ケース４５等を前方斜め上から見たときの斜視図である。なお、図５においては便宜上、エンジン本体１５のシリンダブロック１９等（図２参照）や後述の吸気系部品１５４（図４参照）の図示は省略している。【００６６】  図５に示すように、変速装置ケース４５は、エンジン主要部３００の右側に設けられている。前述したように、セカンダリーシーブ５６はプライマリーシーブ５５の後方かつ上方に配置されているので、変速装置ケース４５は後方斜め上向きに傾斜している。【００６７】  符号３０２は、遠心クラッチ１７を収容するクラッチ室を表している。ドライブ軸４８が嵌め込まれたスプロケット４９は、クラッチ室３０２の左側方に位置している。変速装置ケース４５及びクラッチ室３０２は、エンジン主要部３００に比べて幅（つまり、左右方向の長さ）が短い。そのため、変速装置ケース４５及びクラッチ室３０２の左側方には、比較的広い余裕空間３０４が生じている。そこで、本実施形態では、この余裕空間３０４を吸気系部品１５４の設置スペースとして有効活用することとした。すなわち、吸気系部品１５４を、変速装置ケース４５やクラッチ室３０２と接触しないように余裕空間３０４に配置することとした。逆に言うと、吸気系部品１５４を余裕空間３０４に配置することによって、吸気系部品１５４と変速装置ケース４５との干渉を防止することができ、変速装置ケース４５をエンジン主要部３００の上方に配置することができる。【００６８】  図４に示すように、シリンダヘッド２０には、吸気管２３ａが接続されている。この吸気管２３ａは、前述の余裕空間３０４（図５参照）を通って後方に延びている。吸気管２３ａの中途部には、キャブレタ２３が配設されている。吸気管２３ａの後端部には、エアクリー���１５４Ｃが接続されている。【００６９】  エアクリーナ１５４Ｃは、吸気管２３ａよりも大きな箱状のケーシングを備えている。そのため、エアクリーナ１５４Ｃの設置に際しては、比較的大きなスペースが必要となる。そこで、本実施形態では図６に示すように、エアクリーナ１５４Ｃは、エンジンユニット２の上方においてセカンダリーシーブ５６と反対の側、つまり左側に配置されている。このようにエアクリーナ１５４Ｃがセカンダリーシーブ５６と反対の側に設置されることにより、エアクリーナ１５４Ｃと変速装置ケース４５との接触が防止されている。また、エアクリーナ１５４Ｃの一部は、側面から見てセカンダリーシーブ５６と重なっている。その結果、エアクリーナ１５４Ｃは側面視において変速装置ケース４５と一部重なっており、エアクリーナ１５４Ｃの一部は、側面視において変速装置ケース４５の輪郭線の内側に位置している。これにより、エアクリーナ１５４Ｃ及びエンジンユニット２の全体の高さが低く抑えられている。【００７０】  また、本エンジンユニット２では、セカンダリーシーブ５６をプライマリーシーブ５５やドライブ軸４８よりも上方に配置したので、ドライブ軸４８の周りに空間的な余裕が生じている。そのため、ドライブ軸４８の周りのレイアウトを比較的自由に決定することができる。そこで、本実施形態に係る自動二輪車１では、ドライブ軸４８をピポット軸１００（図１参照）に近い位置に設けることとした。【００７１】  本自動二輪車１によれば、例えば、リヤアーム８を長くすることができるので、操縦安定性を向上させることができる。また、ピポット軸１００をセカンダリーシーブ軸４７の軸心より下方に位置づけることができる。また、ドライブ軸４８とピポット軸１００とを近づけることができる。そのため、リヤアーム８がピポット軸１００を中心として揺動する際に、ドライブ軸４８に巻き掛けられているチェーン５０の弛みを低減することができる。したがって、後輪７に対する駆動力の伝達効率を向上させることができ、また、チェーン５０の弛みに起因する騒音の発生を抑制すること等が可能となる。【００７２】  なお、上記実施形態では、ドライブ軸４８の駆動力を伝達する伝動部材は、チェーン５０であった。しかし、伝動部材はチェーン５０に限定されず、伝動ベルトやドライブシャフト等であってもよい。伝動部材としてドライブシャフト等を用いた場合であっても、ドライブ軸４８とピポット軸１００との間の距離が短いことによって、ほぼ同様の効果を得ることができる。すなわち、リヤアーム８がピポット軸１００を中心として揺動する際に、駆動力の伝達効率の低下を抑制することができる。【００７３】  このように、ピポット軸１００はドライブ軸４８の後方近傍に設けられていることが好ましい。なお、ここで言う「近傍」の程度は特に限定されるものではないが、例えば、セカンダリーシーブ５６の直径以内であることが望ましく、セカンダリーシーブ５６の半径以内であることが特に望ましい。【００７４】  図４に示すように、アイドル軸５２は、ドライブ軸４８の軸心とセカンダリーシーブ軸４７の軸心とを結んだ仮想線Ｃよりも前方に配置されている。そのため、アイドル軸５２の減速歯車（減速大ギヤ）���５をプライマリーシーブ５５に近づけることにより、側面視において減速歯車７５をプライマリーシーブ５５に一部重ねるように配置することができる。これにより、エンジンユニット２の後側部分をより小型化することが可能となる。なお、符号１５６はバランスウエイトである。【００７５】  図４において、符号１５０は始動用キック軸（キックスタータ軸とも言う）を示している。この始動用キック軸１５０は、左右方向に延びており、ドライブ軸４８の下方に配置されている（図６も参照）。また、始動用キック軸１５０は、側面視において変速装置ケース４５の輪郭線の外側に位置している。すなわち、始動用キック軸１５０は、側面視において変速装置ケース４５と重ならない位置に配置されている。【００７６】  図７に示すように、始動用キック軸１５０は、クランクケース２２に回転自在に支持されている。前述した通り、セカンダリーシーブ軸４７はドライブ軸４８と別々に構成され、セカンダリーシーブ軸４７はエンジンユニット２の上側に配置されている。そのため、エンジンユニット２の下側には、比較的大きなスペースが形成されている。そこで、本実施形態では、始動用キック軸１５０を当該スペースに配置することとした。始動用キック軸１５０は、変速装置ケース４５の下方に配置され（図４参照）、エンジンユニット２の側方から略水平方向に突出している。【００７７】  始動用キック軸１５０は、変速装置ケース４５と同様に、エンジン本体１５の右側に設けられている。すなわち、始動用キック軸１５０と変速装置ケース４５とは、エンジン本体１５に対して同一の側に設けられている。【００７８】  始動用キック軸１５０の先端には、始動用キック軸１５０に対して折りたたみ可能なキックペダル２００が設けられている。また、始動用キック軸１５０の根元側には、スプリング２０２が設けられている。スプリング２０２は、キック時の回転方向とは逆方向に始動用キック軸１５０を付勢している。始動用キック軸１５０の根元側には、ギヤ２０４が同心状に固定されている。始動時には、このスプリング２０２の付勢力に抗して始動用キック軸１５０をキックする。すると、始動用キック軸１５０の回転は、ギヤ２０４を介して第１アイドル軸ギヤ２０８に伝達される。なお、符号２０６は、第１アイドル軸ギヤ２０８に嵌め込まれた第１アイドル軸である。【００７９】  第１アイドル軸ギヤ２０８の回転は、第２アイドル軸２１０のギヤ２１２に伝達される。その結果、第２アイドル軸２１０が回転する。第２アイドル軸２１０の先端には、クランク軸２８のギヤ２２０と噛み合うギヤ２１４が設けられている。そのため、第２アイドル軸２１０が回転すると、第２アイドル軸２１０の回転トルクがギヤ２１４及びギヤ２２０を介してクランク軸２８に伝達され、クランク軸２８が回転する。したがって、キックペダル２００をキックすることによってクランク軸２８を強制的に回転させることができ、エンジンを始動させることができる。【００８０】  第１アイドル軸２０６及び第２アイドル軸２１０は、クランクケース２２に回転自在に支持されている。図４に示すように、第１アイドル軸２０６及び第２アイドル軸２１０は、側面視において変速装置ケース４５の下���において、変速装置ケース４５と重なった位置に設けられている。ただし、第１アイドル軸２０６及び第２アイドル軸２１０は、側面視においてプライマリーシーブ軸５５ｄ及びセカンダリーシーブ軸４７と重ならない位置に設けられている。このような配置により、始動用キック軸１５０を変速装置ケース４５の下方に配置したにも拘わらず、プライマリーシーブ５５及びセカンダリーシーブ５６のレイアウトに影響を与えることなく、始動用キック軸１５０の回転をクランク軸２８まで伝達することができる。
【産業上の利用可能性】
【００８１】  以上のように、本発明は、自動二輪車等の鞍乗型車両用のエンジン及び鞍乗型車両について有用である。
【図１】
2005007499.tif 000003
【図２】
2005007499.tif 000004
【図３】
2005007499.tif 000005
【図４】
2005007499.tif 000006
【図５】
2005007499.tif 000007
【図６】
2005007499.tif 000008
【図７】
2005007499.tif 000009
【手続補正書】
【提出日】平成17年10月31日(2005.10.31)
【手続補正１】
【補正対象書類名】特許請求の範囲
【補正対象項目名】全文
【補正方法】変更
【補正の内容】
【特許請求の範囲】
【請求項１】
左右方向に延びるクランク軸を有するエンジン本体と、
前記クランク軸の回転に従って回転するプライマリーシーブと、左右方向に延びるセカンダリーシーブ軸を有するセカンダリーシーブと、前記プライマリーシーブと前記セカンダリーシーブとに巻き掛けられた伝動ベルトと、を有する変速機と、
前記プライマリーシーブと前記セカンダリーシーブと前記伝動ベルトとを収容する変速機ケースと、
前記エンジン本体の左右いずれか一方の側に設けられた始動用キック軸と、
を備えた鞍乗型車両用エンジンであって、
前記変速機ケースは、前記エンジン本体の左右両側のうち前記始動用キック軸が設けられている側に配置され、
前記始動用キック軸は、側面視において前記変速機ケースの輪郭線の外側に配置されている鞍乗型車両用エンジン。
【請求項２】
前記セカンダリーシーブは、前記プライマリーシーブよりも上方に配置され、
前記始動用キック軸は、側面視において前記セカンダリーシーブの下方に配置されている請求項１記載の鞍乗型車両用エンジン。
【請求項３】
前記セカンダリーシーブ軸と別軸に構成され、前記セカンダリーシーブ軸に直接又は間接的に連結されたドライブ軸を更に備えた請求項２記載の鞍乗型車両用エンジン。
【請求項４】
左右方向に延びるアイドル軸を有し、前記セカンダリーシーブ軸と前記ドライブ軸とに連結された減速機構を更に備え、
前記セカンダリーシーブ軸は、前記ドライブ軸よりも上方に配置され、
前記アイドル軸は、側面視において前記ドライブ軸の軸心と前記セカンダリーシーブ軸の軸心とを結んだ仮想線よりも前記プライマリーシーブ側に配置され、
前記ドライブ軸は、側面視において前記変速機ケースの輪郭線の内側に配置されている請求項３記載の鞍乗型車両用エンジン。
【請求項５】
前記始動用キック軸に同心状に固定されたギヤと、
前記クランク軸のギヤと、
前記始動用キック軸のギヤと前記クランク軸のギヤとを連結するギヤと、を備え、
前記各ギヤは、前記エンジン本体の左右両側のうち前記変速機ケースが設けられている側と反対の側に配置されている、請求項１記載の鞍乗型車両用エンジン。
【請求項６】
前記エンジン本体はクランクケースを備え、
前記始動用キック軸は、側面視において前記クランクケースの輪郭線の内側に配置されている、請求項１記載の鞍乗型車両用エンジン。
【請求項７】
前記始動用キック軸の前端は、前記変速機ケースの後端よりも前方に位置している、請求項１記載の鞍乗型車両用エンジン。
【請求項８】
前記ドライブ軸の端部に連結されたスプロケットを備え、
前記スプロケットの後端は、前記セカンダリーシーブの後端よりも前方に位置している、請求項３記載の鞍乗型車両用エンジン。
【請求項９】
前記アイドル軸は、前記セカンダリーシーブ軸よりも前方に配置されている、請求項４記載の鞍乗型車両用エンジン。
【請求項１０】
請求項１〜９のいずれか一つに記載の鞍乗型車両用エンジンを備えた鞍乗型車両。
【請求項１１】
前記ドライブ軸が前記クランク軸よりも後方に位置するような姿勢で前記鞍乗型車両用エンジンを支持する車両本体と、
前記車両本体に揺動自在に支持され、後輪を支持するリヤアームと、
前記ドライブ軸から前記後輪に駆動力を伝達する伝動部材と、を備え、
前記車両本体における前記リヤアームの支持点は、側面視において前記鞍乗型車両用エンジンの後方に位置している請求項１０記載の鞍乗型車両。
【請求項１２】
前記車両本体における前記リヤアームの支持点は、前記セカンダリーシーブ軸の軸心よりも下方に位置している請求項１１記載の鞍乗型車両。
【請求項１３】
前記車両本体における前記リヤアームの支持点は、前記ドライブ軸の後方近傍に位置している請求項１１記載の鞍乗型車両。
【国際調査報告】
2005007499.tif 000010
2005007499.tif 000011
2005007499.tif 000012
2005007499.tif 000013